(57)【要約】  本発明は、一種類のカテーテルシステムを公開した。カテーテルシステムは、内腔と、近位端と、遠位端と、遠位端の底部に設けられている開口とを有するカテーテルヘッドと、円弧形の開口が設けられている先端を有し、カテーテルヘッドの近位端の内腔に位置する回転可能な内管とを含む。ここで、回転可能な内管を回転させることにより、その上の円弧形の開口をカテーテルヘッドの遠位端の底部にある開口と連通するか連通しないことができる。また、上記のカテーテルシステムに基づいて、血管偽腔が迅速で正確に低リスクで真腔に再入するカテーテルシステムと方法を提供した。本発明で提供されている血管偽腔が迅速で正確に低リスクで真腔に戻すカテーテルシステムは、既存の技術にあるガイドワイヤが真腔に再入する時の操作の困難さ、不正確な位置決め、長い操作時間及び分岐血管の急性閉塞と内出血を起こす問題を有効に解決した。
2021534836.tif 000002
【特許請求の範囲】
【請求項１】
一つの内腔と、一つの近位端と、一つの遠位端と、一つの上記の遠位端の底部に配置されている開口を有する一つのカテーテルヘッドと、
一つの円弧形の開口が設けられている先端を有し、上記のカテーテルヘッドの近位端の内腔に配置されている回転可能な内管とを含み、
ここで、上記の回転可能な内管を回転させることにより、その上の上記の円弧形な開口は上記のカテーテルヘッドの遠位端の底部の上記の開口と連通する、あるいは連通しないカテーテルシステム。
【請求項２】
請求項１の上記のカテーテルシステムは、更に、
上記の回転可能な内管の上記の内腔に配置されているガイドワイヤを含み、
ここで、上記の内管の円弧形の開口が上記のカテーテルヘッドに連通するか連通しないかに応じて、上記の回転可能な内管を回転させて、ガイドワイヤはそれぞれ上記の回転可能な内管のガイド経路に沿って下に向かって上記の開口から出る、または上記の回転可能な内管のガイド経路に沿って上に向かって上記のカテーテルヘッドの遠位端の内腔に入る。
【請求項３】
請求項２の上記のカテーテルシステムにおいて、上記のカテーテルヘッドの上記の開口には、下向きに傾斜する第１の斜め肩が配置されており、上記のガイドワイヤは、上記の回転可能な内管のガイド経路に沿って上記の第１の斜め肩と衝突した後、下向きに上記の開口から出る。
【請求項４】
請求項３の上記のカテーテルシステムにおいて、上記のカテーテルヘッドは、上記の開口のところから湾曲して、上記のカテーテルヘッドの内腔は、第１部分と第２部分とを含み、上記の第１部分はわずかに上に持ち上げられており、上記の第２部分は平行に配置されている。
【請求項５】
請求項４の上記のカテーテルシステムにおいて、上記の第１部分は約２−８°だけわずかに上に持ち上げられ、上記の第２部分は平行に配置されている。
【請求項６】
請求項３の上記のカテーテルシステムにおいて、上記の第１の斜め肩は、垂直方向に対して約３０−６０°の角度を有する。
【請求項７】
請求項３の上記のカテーテルシステムにおいて、上記のガイドワイヤは上記の回転可能な内管のガイド経路に沿って上記の第１の斜め肩と衝突した後、水平面に対して約７０°−９０°の角度で上記の開口から出る。
【請求項８】
請求項１の上記のカテーテルシステムにおいて、上記の回転可能な内管の軸方向に対して、上記の円弧形の開口の断面の傾斜角度は約２−８°である。
【請求項９】
請求項１の上記のカテーテルシステムにおいて、上記の円弧形の開口は一つの遠位端を含み、上記の遠位端には一つの傾斜した第２の斜め肩が設けられており、ガイドワイヤは上記のガイド経路に沿って上記の第２の斜め肩と衝突した後、下向きに上記の開口から出る。
【請求項１０】
請求項９の上記のカテーテルシステムにおいて、上記の第２の斜め肩は水平面に対して約１５−４５°の角度を有する。
【請求項１１】
請求項９の上記のカテーテルシステムにおいて、上記のガイドワイヤは上記の回転可能な内管のガイド経路に沿って上記の第２の斜め肩と衝突した後、上記のガイドワイヤは水平面に対して約７０°−９０°の角度をなして上記の開口から出る。
【請求項１２】
請求項１の上記のカテーテルシステムにおいて、更に２つの翼部を含み、その２つの翼部は、上記のカテーテルヘッドの２つの対向する側に流線形に配置されている。
【請求項１３】
請求項１２の上記のカテーテルシステムにおいて、上記の翼部は対称的に上記のカテーテルヘッドの両側に平行に配置されており、かつ上記の翼部は前方から後方にかけて徐々に広くなってから徐々に狭くなっている。
【請求項１４】
請求項１２の上記のカテーテルシステムにおいて、上記の各翼部はそれぞれ一本の弧線を上記のカテーテルヘッドの両側に向かって約７５°で湾曲させることにより形成されている。
【請求項１５】
請求項１の上記のカテーテルシステムにおいて、上記の回転可能な内管は上記のカテーテルヘッドの内腔で３６０°で回転することができる。
【請求項１６】
請求項１の上記のカテーテルシステムにおいて、更に、一つのサポート管を含み、上記のサポート管は上記のカテーテルヘッドの近位端に接続されている。
【請求項１７】
請求項１５の上記の血管偽腔が迅速で正確に低リスクで真腔に再入するカテーテルシステムにおいて、上記のサポート管は内層と、中間層と、外層からなる三層構造であり、上記の内層は網状に構造され、上記の中間層は螺旋状に構造されている。
【請求項１８】
請求項１の上記のカテーテルシステムにおいて、更に一つのＴＩＰ先端を含み、上記のＴＩＰ先端は上記のカテーテルヘッドの近位端に連接されている。
【請求項１９】
一つの内腔、一つの近位端、一つの遠位端、一つの底部に配置されている開口、及び一つの下向きに傾斜する第１の斜め肩を有し、ここで、上記の開口は上記の第１の斜め肩と対向して、上記の斜め肩の近くに配置されている一つのカテーテルヘッドと、
近位端、及び一つの円弧形の開口が設けられている遠位端を有し、上記のカテーテルヘッドの近位端の内腔に位置する回転可能な内管とを含み、
上記の回転可能な内管を、上記の円弧形の開口が上向きになる位置まで回転させる時、上記の回転可能な内管に位置するガイドワイヤは、上記の回転可能な内管のガイド経路に沿って上記のカテーテルヘッドの遠位端の内腔に入ることができ、
或いは、上記の回転可能な内管を、上記の円弧形の開口が下向きになる位置まで回転させる時、上記の回転可能な内管の内腔に位置するガイドワイヤは、上記の回転可能な内管のガイド経路に沿って上記の第１の斜め肩と衝突した後、下を向かって上記の開口から出る、血管偽腔が真腔に再入することができるカテーテルシステム。
【請求項２０】
請求項１９の上記のカテーテルシステムにおいて、上記の湾曲状のカテーテルヘッドの内腔は第１部分と第２部分を含み、上記の第１部分は約３−６°だけわずかに上に持ち上げられ、上記の第２部分は平行に配置されている。
【請求項２１】
請求項２０の上記のカテーテルシステムにおいて、上記の湾曲状のカテーテルヘッドの外径が約０．５４ｍｍ以下であり、内径が約０．４８ｍｍである。
【請求項２２】
請求項２０の上記のカテーテルシステムにおいて、上記の湾曲状のカテーテルヘッドの頂部と底部との間の最大垂直高度は約１ｍｍ以下である。
【請求項２３】
請求項１９の上記のカテーテルシステムにおいて、上記の第１の斜め肩は垂直方向に対して約４５°の角度を有する。
【請求項２４】
請求項１９の上記のカテーテルシステムにおいて、更に、２つの翼部を含み、上記の翼部は、上記のカテーテルヘッドの２つの対向する側に流線形に配置されている。
【請求項２５】
請求項２４の上記のカテーテルシステムにおいて、上記の翼部は対称的に上記のカテーテルヘッドの両側に平行に配置され、かつ上記の翼部は前方から後方にかけて徐々に広くなってから徐々に狭くなっている。
【請求項２６】
請求項２５の上記のカテーテルシステムにおいて、上記の各翼部は、一本の弧線を上記のカテーテルヘッドの２つの対向する側に向かって約７５°で湾曲させることにより形成されている。
【請求項２７】
請求項２６の上記のカテーテルシステムにおいて、上記の翼部の遠位端の始めどころの幅が０．９ｍｍ以下であり、上記の翼部の最大伸び幅が２．４ｍｍ以下である。
【請求項２８】
請求項２４の上記のカテーテルシステムにおいて、上記の翼部は上記のカテーテルヘッドとの間の最大の垂直高度は、１．２５ｍｍ以下である。
【請求項２９】
請求項１９の上記のカテーテルシステムにおいて、上記のガイドワイヤの直径が０．０１４ｉｎ−０．０１８ｉｎである。
【請求項３０】
請求項１９の上記のカテーテルシステムにおいて、上記の回転可能な内管は上記のカテーテルヘッドの内腔で３６０°で回転することができる。
【請求項３１】
請求項１９の上記のカテーテルシステムにおいて、上記のガイドワイヤは上記の回転可能な内管のガイド経路に沿って上記の第１の斜め肩と衝突した後、水平面に対して約７０°−９０°の角度で上記の開口から出る。
【請求項３２】
請求項１９の上記のカテーテルシステムにおいて、上記の回転可能な内管の軸方向に対して、上記の円弧形の開口の傾斜角度が約４°−５°である。
【請求項３３】
請求項１９の上記のカテーテルシステムにおいて、上記の回転可能な内管の遠位端はニッケルチタン合金材質であり、近位端は金属材質であり、近位端と遠位端は溶接によって一体に接合されている。
【請求項３４】
請求項１９の上記のカテーテルシステムは、更に、上記のカテーテルヘッドの近位端に接続される一つのサポート管を含む。
【請求項３５】
請求項３４の上記のカテーテルシステムにおいて、上記のサポート管は内層と、中間層と、外層とを含む三層構造であり、上記の内層は網状構造で、上記の中間層は螺旋状構造である。
【請求項３６】
請求項３４の上記のカテーテルシステムにおいて、上記のサポート管は厚さが約０．００４ｉｎの壁を含む。
【請求項３７】
請求項１９の上記のカテーテルシステムにおいて、更に上記のカテーテルヘッドの遠位端に接続されている一つのＴＩＰ先端を含む。
【請求項３８】
カテーテルヘッドと回転可能な内管を採用した血管偽腔が迅速で正確に低リスクで真腔に再入する方法であって、ここで、上記のカテーテルヘッドは、一つの内腔と、一つの開口と、一つの第１の斜め肩とを有し、上記の内管は、一つの円弧形の開口を有する上記のカテーテルヘッドの内腔に位置する遠位端を備え、上記の方法は、
ステップ１、上記の回転可能な内管を、上記の円弧形の開口２１が上向きになる位置まで回転させて、第１のガイドワイヤを上記の回転可能な内管に挿入してカテーテルヘッドまで圧入して、カテーテルヘッドを第１のガイドワイヤによる敷かれた偽腔経路を介して血管の偽腔の完全閉塞区域に入らせるようにする；
ステップ２、マイクロカテーテルを押して、上記のカテーテルヘッドを直線に沿って完全閉塞区域を通過させて、カテーテルヘッド上の第１の斜め肩を、完全閉塞区域を過ぎたばかりの位置に置いてから、第１のガイドワイヤを引き出す；
ステップ３、引き続き上記の回転可能な内管を、上記の円弧形の開口が下向きになる位置まで回転させ、第２のガイドワイヤを回転可能な内管に挿入してカテーテルヘッドまで押し込み、第２のガイドワイヤは、カテーテルヘッドの第１の斜め肩と衝突した後、下を向かって出るようにして、血管真腔に再入することを完成させる。
【請求項３９】
請求項３８の上記の血管偽腔が真腔に再入する方法において、上記の第１のガイドワイヤの直径が約０．０１８ｉｎである。
【請求項４０】
請求項３８の上記の血管偽腔が真腔に再入する方法において、上記の第２のガイドワイヤの直径が約０．０１４ｉｎである。
【請求項４１】
請求項３８の上記の血管偽腔が真腔に再入する方法において、上記の第２のガイドワイヤは、上記の第１の斜め肩と衝突した後、水平面に対して約７０°−９０°の角度で上記の開口から出る。
【発明の詳細な説明】
【技術分野】
【０００１】
本発明は介入医療機械分野に属し、医療用カテーテルシステムに関して、特に、血管偽腔を真腔に再入するためのカテーテルシステムおよび方法に関する。
【背景技術】
【０００２】
慢性完全閉塞病変（chronic total occlusion, CTO）は、手術が困難なため、ずっと経皮的冠状動脈形成術（percutaneous coronary intervention, PCI）において克服されてない技術的な砦とされてきた。しかし、人々のCTOに対する認識が深くなり、技術経験の蓄積と特殊な器械の出現につれて、CTOに対するPCIの成功率はすでに大幅に改善され、その上、PCIに対する手術策略も標準化されるようになっている。ガイドワイヤの走行経路により、現在のCTOに対するPCIは、２つの治療戦略があり、一つは真腔から閉塞部位を直接的に通過する真腔に到達するというガイドワイヤアップグレード戦略であり、もう一つは切開及びリエントリーDART（dissection and re-entry techniques）である。そしてガイドワイヤがCTOを通る方向によって、上記の戦略は更に順行性及び逆行性アプローチに分けられる。
【０００３】
既存のDART関連技術は、主に順行性ガイドワイヤが偽腔を通過して真腔に戻る技術であり、それは１）内膜下の追跡および突入（subintimal tracking and re-entry，STAR）技術と、２）コントラストによりガイドされたSTAR技術（contrast-guided STAR）と、３）mini-STAR技術或いは制限された順行性内膜下の追跡技術（limited antegrade subintimal tracking technique， LAST）と、４）Stingrayシステムとを含む。１）内膜下の追跡および突入（subintimal tracking and re-entry，STAR）技術は、最も早いDART技術（Colombo A, Mikhail G W, Michev I, et al. Treating chronic total occlusions using subintimal tracking and reentry: the STAR technique[J]. Catheter Cardiovasc Interv,2005,64(4):407-411, 412.3）であり、２００５年で正式的にColomboにより提出された。この技術は、STAR技術により、ガイドワイヤが内膜下領域から真腔に再進入する突破口は閉塞部位から遠い血管の分岐部にあることが多いため、偽腔の長さが遠位繊維性被膜を大幅に超えることにより、非閉塞周囲にある分岐血管に急性閉塞症を引き起こし得る。２）ガイド付きコントラストのSTAR技術（contrast-guided STAR）は、２００８年にCarlinoより初めて提出された「簡単化されたSTAR技術（Carlino M, Godino C,Latib A, et al. Subintimal tracking and re-entry technique with contrast guidance: a safer approach[J]. Catheter Cardiovasc Interv,2008,72(6):790-796.36）であり、「改善されたSTAR技術」とも称され、その動作原理はマイクロカテーテルによる閉塞部位の内部に押し込まれた造影剤を採用して、疎性内膜下組織を分解して、可視挟層を形成することにより、作業ガイドワイヤの進行を誘導することである。このような真腔の再入技術（典型的なSTAR技術と改善されたSTAR技術とを含む）は、常に順行性アプローチ法と逆行性アプローチ法が失敗した場合にのみ採用される。３）mini-STAR技術或いは制限された順行性内膜下の追跡技術（limited antegrade subintimal tracking technique， LAST）において、mini-STAR技術も一種類の改善されたSTAR技術であり、Galassiにより２０１２年に正式的に提出され（Galassi A R, Tomasello S D, Costanzo L, et al. Mini-STAR as bail-out strategy for percutaneous coronary intervention of chronic total occlusion[J]. Catheter Cardiovasc Interv,2012,79(1):30-40.3）、当該の技術はFielderFCかXTガイドワイヤを採用し、その動作原理は基本的にクラシックなSTAR技術と同じ、主な区別はmini-STAR技術による形成された挟層範囲が比較的に短く、ガイドワイヤが真腔に再入する”突破口”が極めてCTO病変部位の遠位繊維製被膜に近いことにある。４）Stingrayシステムにおいて、Boston Scientific会社により生産されたStingrayシステムはバルーンと誘導ガイドワイヤとを含む、専門的に偽腔を真腔に再入するために用いられる特殊器具であり、CrossBossカテーテルと組み合わせて或いは単独で使用され得る。CrossBossカテーテル、StingrayバルーンとガイドワイヤはともにBoston Scientific社製のBridgePointシステムを構成し、BridgePointシステムは順行性のCTO専用器具として、主に遠位標的血管が現像でき、しかも直径が相対的に粗大なCTO病変に適用されている（Werner G S. The BridgePoint devices to facilitate recanalization of chronic total coronary occlusions through controlled subintimal reentry[J]. Expert Rev Med Devices,2011,8(1):23-29.36）。
【０００４】
現在、上記された既存の順行性ガイドワイヤの偽腔を介して真腔に再入する技術に存在する主な欠陥は、以下の点である：１）ガイドワイヤが真腔に再入する時の位置は、大部分が閉塞部位から遠い血管の分岐にあるため、医者は正確な位置決めが困難で、それで、真腔に再入した後の偽腔の長さは、遠位線維性被膜より大幅に長くなり、非閉塞周囲にある分枝血管に急性閉塞症を引き起こし得る；２）ガイドワイヤが血管中間層に入った後、医者はカテーテルを押し込む途中で、ガイドワイヤの先端が直線的な経路で前進することが難しく、屈曲して或いは絡んで血管の内壁層に覆いやすい、或いは、医者による不適切な力の把握のため、血管の外皮、つまり、外膜と中膜を通貫し、患者内出血、重篤馬な場合は致命的となる可能性もある；３）既存の器具を採用する医者は一般に、既存の器具を完全閉塞区域に通貫して真腔血管に再入することに必要とする手術時間は多く、手術時間が多いほど患者への損害が多くなる。したがって、ガイドワイヤを、CTO病変を容易に通過させ、かつ真腔に誘導することを補助するツールを開発する必要がある。
【発明の概要】
【０００５】
本発明の主な目的は、既存のガイドワイヤ介入治療の手術において、ガイドワイヤの操作が困難で、位置決めが不正確で、操作時間が長いことによる介入治療のリスクが大きい問題に対して、一種類の医療用カテーテルシステムを提供する。
【０００６】
本発明は以上の既存技術において、ガイドワイヤが真腔に再入する時に存在する、操作が困難で、位置決めが不正確で、操作時間が長い及び分枝血管に急性閉塞症と内出血を発生する問題を解決するために、また、血管偽腔を速やかに正確で低リスクで真腔に再入するカテーテルシステムと方法を提出する。
【０００７】
上記の目的を達成するために、本発明は以下の技術方案を採用する。
本発明に係る実施形態は、カテーテルシステムを提供し、
一つの内腔と、一つの近位端と、一つの遠位端と、一つの上記の遠位端の底部に配置された開口とを含むカテーテルヘッドと、
一つの先端を含み、上記の先端に円弧形の開口が配置され、上記のカテーテルヘッドの近位端の内腔に配置される回転可能な内管とを含み、
その中で、上記の回転可能な内管を回転して上記の円弧形の開口を上記のカテーテルヘッドの遠位端にある上記の開口と繋がる或いは繋がらないことが可能である。
【０００８】
いくつかの実施形態において、上記のカテーテルシステムは更に、
上記の回転可能な内管の内腔に配置されるガイドワイヤを含み、
ここで、上記の内管の円弧形の開口が、上記のカテーテルヘッドの開口と繋がるか繋がらないかによって、上記の回転可能な内管を回転させて、上記のガイドワイヤが、それぞれに上記の回転可能な内管のガイド経路に沿って下向に上記の開口から出ていく、或いは、上記の回転可能な内管のガイド経路に沿って上向きに上記のカテーテルヘッドの遠位端の内腔に入ることができる。
【０００９】
いくつかの実施形態において、上記のカテーテルヘッドの上記の開口に、一つの下向きに傾斜した第１の斜め肩が設けられ、上記のガイドワイヤは上記の回転可能な内管のガイド経路に沿って上記の第１の斜め肩と衝突した後、下向きに上記の開口から通す。
【００１０】
上記のカテーテルヘッドは上記の開口から湾曲し、その内腔は第１部分と第２部分を含み、第１部分はわずかに上方に持ち上げられ、第２部分は平行に配置されている。いくつかの実施形態において、上記の第１部分は約２−８°だけ持ち上げられ、上記の第２部分は平行に配置される。さらなる実施形態において、上記の第１の斜め肩が垂直方向に対する角度が約３０−６０°となる。上記のガイドワイヤは、上記の回転可能な内管のガイド経路に沿って上記の第１の斜め肩と衝突した後、水平面に対して約７０−９０°の角度で上記の開口から出る。
【００１１】
上記の円弧形の開口の断面は、上記の回転可能な内管の軸線に対する角度が２−８°である。
【００１２】
いくつかの実施形態において、上記の円弧形の開口は一つの遠位端を含み、上記の遠位端には傾斜した第２の斜め肩が配置され、上記のガイドワイヤは上記のガイド経路に沿って上記の第２の斜め肩と衝突した後、下向きに上記の開口から通す。
【００１３】
上記の第２の斜め肩は、水平方向に対する角度が約１５−４５°となることができる。
【００１４】
上記のガイドワイヤは、上記の回転可能な内管のガイド経路に沿って上記の第２の斜め肩と衝突した後、水平面に対して約７０−９０°の角度をなして上記の開口から通すことができる。
【００１５】
いくつかの実施形態において、上記のカテーテルシステムは２つの翼部を含み、それは上記のカテーテルヘッドの両側にそれぞれ流線形に配置される。上記の２つの翼部は、対称的に上記のカテーテルヘッドの両側に平行に配置され、上記の翼部は、前から後にかけて徐々に広がってから徐々に狭くなり、上記の翼部は、一本の弧線を上記のカテーテルヘッドの両側に向けて約７５°で湾曲することにより形成されてもよい。
【００１６】
いくつかの実施形態において、上記の回転可能な内管は上記のカテーテルヘッドの内腔で３６０°で回転可能である。上記のカテーテルシステムは更に、一つのサポート管を含み、それは上記のカテーテルヘッドの近位端に接続される。上記のサポート管は内層と、中間層と、外層とからなる三層構造であってもよく、上記の内層は網状構造であり、上記の中間層は螺旋状構造である。上記のカテーテルシステムは、さらに一つの上記のカテーテルヘッドの遠位端に接続されるＴＩＰ先端を含む。
【００１７】
本実施形態は更に、血管偽腔を真腔に再入するカテーテルシステムを提供し、上記のカテーテルシステムは、一つの内腔と、一つの近位端と、一つの遠位端と、一つの下向きに傾斜する第１の斜め肩と、一つの上記の第１の斜め肩に対向し、上記の第１の斜め肩に隣接して上記の近位端の底部に配置された開口とを含む一つのカテーテルヘッド、及び上記のカテーテルヘッドの近位端の内腔に配置され、近位端と一つの円弧形の開口を有する遠位端とを含む回転可能な内管を含む。上記の回転可能な内管を円弧形の開口が上向きになる位置まで回転させた後、上記の回転可能な内管の内腔にあるガイドワイヤは、上記の回転可能な内管のガイド経路に沿って上記のカテーテルヘッドの遠位端の内腔に入ることができ、或いは、上記の回転可能な内管を、円弧形の開口が下向きになる位置まで回転させた後、上記の回転可能な内管にあるガイドワイヤは、上記の回転可能な内管のガイド経路に沿って上記の第１の斜め肩と衝突した後、下向きに上記の開口から通す。
【００１８】
いくつかの実施形態において、上記の湾曲状のカテーテルヘッドの内腔は一つの第１部分と一つの第２部分を有し、上記の第１部分はわずかに約３−６°持ち上げられ、上記の第２部分は平行に配置される。いくつかの実施形態において、上記の湾曲状のカテーテルヘッドの外径が約０．５４ｍｍより小さく、内径が約０．４８ｍｍである。上記の湾曲状のカテーテルヘッドの頂部と底部の間の最大の垂直高さが、約１ｍｍより小さくてもよい。上記の第１の斜め肩の垂直方向に対する角度が約４５°である。
【００１９】
さらなる実施形態において、上記のカテーテルシステムはまた、２つの翼部を含み、それは上記のカテーテルヘッドの対向する両側にそれぞれ流線形に配置される。いくつかの実施形態において、上記の翼部が平行に対称的に上記のカテーテルヘッドの両側に配置され、かつ上記の翼部が前方から後方にかけて徐々に広がってから徐々に狭くなる。上記の翼部は、一本の弧線を上記のカテーテルヘッドの対向する両側に向かって７５°の角度をなして湾曲することにより形成される。上記の翼部の遠位端の始めどころの幅は、約０．９ｍｍ以下であってよい。上記の翼部が拡張した最大の幅は、約２．４ｍｍ以下であってもよい。上記の翼部と上記のカテーテルヘッドの間の最大の垂直高さが、約１．２５ｍｍより小さくてもよい。
【００２０】
いくつかの実施形態において、直径が０．０１４ｉｎ−０．０１８ｉｎのカテーテルのガイドワイヤを採用する。
【００２１】
好ましくは、上記の回転可能な内管は、上記のカテーテルヘッドの内腔で３６０°で回転する。上記のガイドワイヤは、上記の回転可能な内管のガイド経路に沿って上記の第１の斜め肩と衝突した後、水平面に対して約７０−９０°の角度で上記の開口から通す。いくつかの実施形態において、上記の回転可能な内管の上記の円弧形の開口が、上記の回転可能な内管の軸線に対する傾斜角度が約４°−５°である。上記の回転可能な内管の遠位端はニッケルチタン合金の材質、近位端は金属の材質であり、近位端と遠位端は溶接の方式によって一体と接続され得る。
【００２２】
上記のカテーテルシステムは更に、一つのサポート管を含み、それは上記のカテーテルヘッドの近位端に接続される。いくつかの実施形態において、上記のサポート管は内層と、中間層と、外層からなる三層構造であり、上記の内層は網状構造であり、上記の中間層は螺旋状構造である。上記のサポート管の壁厚さが約０．００４ｉｎである。
【００２３】
上記のカテーテルシステムはさらに上記のカテーテルヘッドの遠位端に接続されるＴＩＰ先端を含む。
【００２４】
本発明の実施形態は一種類のカテーテルヘッドと回転可能な内管の血管偽腔を採用して速やかに、正確に低リスクに真腔に再入する方法を提供し、上記のカテーテルヘッドは、一つの内腔と、一つの開口と、一つの第１の斜め肩とを有し、上記の内管は一つの円弧形の開口を有し、上記のカテーテルヘッドの内腔に配置される遠位端を含む。上記の方法は具体的に以下のステップを含む。
ステップ１、回転可能な内管を、円弧形の開口が上向きになる位置まで回転させた後、第１のガイドワイヤを回転可能な内管の中に挿入し、それにカテーテルヘッドに押し込むことにより、カテーテルヘッドを第１のガイドワイヤによる敷かれた偽腔に入る経路を介して血管の偽腔の完全閉塞区域に入らせる；
ステップ２、マイクロカテーテルを押して、直線的に完全閉塞区域を通過させて、カテーテルヘッドの第１の斜め肩が完全閉塞区域を過ぎたばかりの位置に置いてから、第１のガイドワイヤを外す；
ステップ３、引き続き回転可能な内管を、円弧形の開口が下向きになる位置まで回転させて、第２のガイドワイヤを回転可能な内管に挿入してカテーテルヘッドまで押して、第２のガイドワイヤを、カテーテルヘッドの第１の斜め肩と衝突させた後、下向きに通過させることにより、血管真腔に再入することを完成する。
【００２５】
いくつかの実施形態において、上記の第１のガイドワイヤの直径が０．０１８ｉｎである。上記の第２のガイドワイヤの直径が０．０１４ｉｎである。上記の第２のガイドワイヤは上記の第１の斜め肩と衝突した後、水平面に対して約７０°−９０°の角度で上記の開口から通す。
【図面の簡単な説明】
【００２６】
【図１】図１は、本発明に係るカテーテルシステムの全体構造を示す概略図である。
【図２】図２は、本発明に係るカテーテルシステムの正面図である。
【図３】図３は、本発明に係るカテーテルシステムの概略上面図である。
【図４】図４は、本発明に係るカテーテルシステムの断面図である。
【図５】図５は、本発明に係るカテーテルシステムの組立構造の概略図である。
【図６】図６は、本発明に係るカテーテルシステムにおけるカテーテルヘッドの概略上面図である。
【図７】図７は、本発明に係るカテーテルシステムにおけるカテーテルヘッドの概略断面図である。
【図８】図８は、本発明に係るカテーテルシステムにおけるカテーテルヘッドの概略底面図である。
【図９】図９は、本発明に係るカテーテルシステムの翼部の幅を示す概略図である。
【図１０】図１０は、本発明に係るカテーテルシステムにおけるカテーテルヘッドの高さを示す概略図である。
【図１１】図１１は、本発明に係るカテーテルシステムにおける回転可能な内管の概略正面図である。
【図１２】図１２は、本発明に係るカテーテルシステムにおける回転可能な内管の概略断面図である。
【図１３】図１３は、本発明に係るカテーテルシステムにおける回転可能な内管の概略上面図である。
【図１４】図１４は、本発明に係るカテーテルシステムにおける回転可能な内管の偏心円腔道が下を向いている場合の概略図である。
【図１５】図１５は、図１４に示したカテーテルシステムの偏心円腔道が下向きになっているときのガイドワイヤの動作状態を示す概略図である。
【図１６】図１６は、本発明に係るカテーテルシステムにおける回転可能な内管の偏心円腔道が上を向いた場合の概略図である。
【図１７】図１７は、図１６に示したカテーテルシステムの偏心円腔道が上向きになる場合のガイドワイヤの動作状態を示す概略図である。
【図１８】図１８は、本発明に係るカテーテルシステムにおけるサポート管の構造の概略図である。
【図１９】図１９は、本発明に係るカテーテルシステムにおけるサポート管の概略断面図である。
【図２０】図２０は、本発明に係るカテーテルシステムが完全閉塞区域を通過する状態の概略図である。
【図２１】図２１は、本発明に係るカテーテルシステムの血管偽腔における動作状態の概略図である。
【図２２】図２２は、本発明に係るカテーテルシステムの血管偽腔における別の動作状態の概略図である。
【発明を実施するための形態】
【００２７】
本発明は一種類のカテーテルシステムを提出し、血管性病変の介入治療或いは腫瘍の介入治療に広範に応用できる。更に具体的には、一種類の血管偽腔が高速で正確で低リスクで真腔に戻るカテーテルシステムと方法を提供し、このカテーテルシステムは医師の手技の難しさを減らし、手技時間を短縮し、分枝血管の急性閉塞と内出血を引き起こすことを回避し得る。
【００２８】
例えば、血管性病変の中で、各種の原因による血管狭窄閉塞、腎臓動脈、鎖骨下動脈、腸骨動脈及び下肢のアテローム性動脈硬化プラーク狭窄、様々な動脈瘤及び動静脈奇形、大腿骨頭壊死などは、ステント留置術、バルーン拡張術、血管内塞栓術、その他の介入方法などにより、臨床症状を明らかに改善することができる。ステント留置或いはバルーン拡張治療を行う過程で、このカテーテルシステムにより、医師が閉塞した病変部位を通過し、介入治療をより良く完成することができる。例えば、冠状動脈の慢性完全閉塞手術中に、バルーンとステントをデリバリーと取り付けのためにガイドワイヤにより偽腔に入る新しい経路を開いた；同様に、末梢血管の慢性完全閉塞手術中に、バルーンとステントをデリバリーと取り付けのために、ガイドワイヤによる偽腔に入る新しい経路を開いた。
【００２９】
腫瘍の介入治療（主に術後または腫瘍圧迫による血管、胆道、消化管、気管、尿道などの様々な管腔の治療）において、このカテーテルシステムは、医師が新しい介入治療の道を開くのを助けることにより、癌化組織に対する正確な化学療法の目的を達成することができ、あるいは新しい経路を開くことにより、狭い位置にステントを取り付けるための経路の条件を提供して、手術の創傷を減らすことができる。腫瘍介入治療において、塞栓術を行う過程で、塞栓剤カテーテルを所定の位置まで搬送することを助け、偽腔に入ってから真腔に入ることによって新しい薬物輸送経路を開き、正確な投薬を実現し、最高の治療効果を達成し、良性或いは悪性の各種類の腫瘍を治療することができる。
【００３０】
以下、本発明をより良く理解するために、具体的な実施の形態を通して本発明を詳細かつ具体的に説明するが、以下の実施形態は、本発明の範囲を限定するものではない。
【００３１】
図１〜図４に示すように、本発明の実施形態は一種類のカテーテルシステムを提供し、それは主に、底部に配置され、カテーテルヘッドの近位端に面するカテーテルヘッド１０と、カテーテルヘッド１０の遠位端の内腔に配置された回転可能な内管２０とを含み；回転可能な内管２０の遠位端に円弧形の開口２１が配置され、回転可能な内管２０は、カテーテルヘッド１０の内腔で３６０°で回転することができ、異なるガイドワイヤを固定腔道に入らせる経路選択機能が実現される。その中で、回転可能な内管２０を回転させて、その上の円弧形の開口２１をカテーテルヘッド１０の底部における開口１１と連通するかまたは連通しないようにすることができる。また、このカテーテルシステムは更に、回転可能な内管２０の内腔に位置するガイドワイヤ５０を含み、図２１と図２２に示すように、使用中に、回転可能な内管２０を円弧形の開口２１が上向きになる位置まで回転させる時、ガイドワイヤ５０は回転可能な内管２０のガイド経路に沿ってカテーテルヘッド１０の遠位端の内腔に入る。回転可能な内管２０を、円弧形の開口２１が下向きになる位置まで回転させると、ガイドワイヤ５０は回転可能な内管２０のガイド経路に沿って下を向いて開口１１から通すことができる。上記のような様々な血管病変の介入治療または腫瘍の介入治療に広く使用され得る。
【００３２】
いくつかの実施形態では、上記の円弧形の開口２１のエッジおよび／または周縁は、回転可能な内管２０のガイド経路に沿って斜めに配置されたＵ形構造となっている。この円弧形の開口２１のエッジまたは周縁は、曲線を辺とする三角形構造であってもよく、略三角形形状の開口を形成してもよい。また、この円弧形の開口２１の開口は、例えば、半円形、楕円形、半楕円形、長方形または半直方体のような他の形状を採用してもよい。実際の応用では、異なるタイプの医療機器（例えば、直径が約０．０５ｍｍ−１．０ｍｍのガイドワイヤ）を収容するために、円弧形の開口２１の開口形状またはサイズを調整することができる。具体的に、円弧形の開口２１の開口形状は、ガイドワイヤの先端の開口形態およびガイドワイヤの直径の大きさに応じて変更され得る。
【００３３】
一つの実施形態において、図２、４、７と８に示すように、一つの下を向いて傾斜する第１の斜め肩１２が、カテーテルヘッド１０の方向に沿って開口１１に設けられ、ガイドワイヤ５０は、回転可能な内管２０のガイド経路に沿って第１の斜め肩１２と衝突した後、下を向いて開口１１から通す。第１の斜め肩１２の役割は、回転可能な内管２０のガイド経路から伸び出すガイドワイヤ５０を開口１１から下向きに転向させることであり、その中で、第１の斜め肩１２の傾斜角度は約３０°−６０°であってもよく、ガイドワイヤの圧入に有利であり、医師の手技の難しさを減少させる。
【００３４】
図１−２に示す実施形態では、カテーテルヘッド１０は開口１１から湾曲状にしており、その内腔は２つの部分を有しており、一部分はわずかに上方に持ち上げられ、他の一部分は平行に配置されている。いくつかの実施形態において、わずかに上方に持ち上げられた部分は約２−８°で持ち上げられ、他の一部分は平行に配置される；好ましくは、わずかに上方に持ち上げられた部分は約３−６°で持ち上げられ、他の一部分は平行に配置される；より好ましくは、わずかに上方に持ち上げられた部分は約４．２°で持ち上げられ、他の一部分は平行に配置される。このような実施形態では、第１の斜め肩１２は、垂直方向に対して約３０−６０°の角度をとることができ、好ましくは、約３５−５８°、約４０−５５°の角度、約４２−５５°の角度をとることができる。いくつかの実施形態では、第１の斜め肩１２は垂直方向に対する角度は約４５°である。上記の第１の斜め肩１２の傾斜した角度に基づいて、ガイドワイヤは、回転可能な内管２０のガイド経路に沿って第１の斜め肩１２と衝突した後、水平面に対して約７０°−９０°の角度で開口１１から通し、好ましくは７２°−８８°、７５°−８５°、７８°−８５°、さらには８０°−８２°である。また，上向きに持ち上げられたカテーテルヘッド１０を、その内腔も上向きに持ち上げられるように持ち上げることができ、上向きに持ち上げられた上部腔道は０．０１８ｉｎの直径を有するガイドワイヤを受け入れて送達することができる。約４５°の角度を有する第１の斜め肩１２に面する円弧形なの開口２１の遠位端を、衝突面とする。直径が約０．０１４ｉｎの第２のガイドワイヤを上記の衝突面に圧入することができ、それに上記の第２のガイドワイヤは、方向を変更して、水平面に対して約７５°−９０°の比較的に大きな角度で開口１１から出ることができる。
【００３５】
一つの好ましい実施形態として、回転可能な内管２０の方向に沿う円弧形の開口２１の断面の傾斜角度は約２〜８°であり、好ましくは、円弧形の開口部２１の断面の傾斜角度は約４〜６°であり、より好ましくは、円弧形の開口部２１の断面の傾斜角度は約４．８°である。回転可能な管内管２０の先端はニッケルチタン合金の材質であってもよく、よって回転可能な内管ガイド経路の強度は保証され、経路の曲げ外しの可能性が減少される。回転内管２０の近位端は、金属材質（例えば、３０４ステンレスなど）である。近位端と遠位端は溶接方式で連結して、例えばレーザー溶接の方式を採用することができる。
【００３６】
もう一つの好ましい実施形態において、図１１〜図１３に示すように、円弧形の開口２１の遠位端に傾斜した第２の斜め肩２２が設けられており、ガイドワイヤは、回転可能な管内管２０のガイドパスに沿って第２斜肩２２と衝突した後、下方向に開口部１１から出る。本実施形態における回転可能な内管２０のガイド経路は、回転可能な内管２０の縦軸Ｌ方向に沿っている。第２の斜め肩２２は、水平方向に対する角度が約１５−４５°であってもよく、好ましくは１８−４２°、２０−４０°、２０−３８°、２２−３５°であり、好ましくは約２５−３０°である。この第２の斜め肩２２と水平表面との間の角度が、第１の斜め肩１２と水平表面との間の角度より小さいため、ガイドワイヤ５０は、回転可能な内管２０のガイド経路において、第２の斜め肩２２を介して第１の斜め肩１２へと緩やかに移行することができる。本実施形態において、ガイドワイヤは回転可能な内管２０のガイド経路に沿って第２の斜め肩２２と衝突した後、水平表面に対して約７０°−９０°の角度で開口１１から出ることができ、好ましくは、７２°−８８°、７５°−８５°、７８°−８５°であり、更に好ましくは、図２２に示すように、８０°−８２°である。
【００３７】
図１〜図１７に示すように、当該のカテーテルシステムは、更にカテーテルヘッド１０の両側に設けられた流線形な２つの翼部１３を含み、翼厚は０．０７５ｍｍ−０．１ｍｍである。それぞれの翼部１３は、中軸から先端に向かって両方向に展開され、その厚さは、上記の先端から中心へと徐々に減少する。翼部１３は、対称的にカテーテルヘッド１０の両側に平行に配置され、かつ翼部１３も遠位端にかけて徐々に広くなり、よって流線形な構造を形成する。翼部１３は、１本の弧線を前記カテーテルの中心軸線から両側に６０°−８０°で湾曲させることにより形成されることができ、好ましくは７５°である。本実施例では、翼部１３の構造設計は、医師が手技の際に、カテーテルヘッド１０は血管偽腔に挿入された後、マイクロカテーテルが直線経路に沿って前進することを補助し、血管外層の穿孔のリスクを低減し、マイクロカテーテルが螺旋経路に沿って進行することを防止し、同時に偽腔層に付着することにより、マイクロカテーテルの位置は安定し、マイクロカテーテルの滑り或いは変位は回避され、医師の手技難度と手術時間は減少する。
【００３８】
図１−図８に示すように、このカテーテルシステムは、カテーテルヘッド１０の後端に接続されたサポート管３０をさらに含み、サポート管３０は、カテーテルヘッド１０の近位端に、例えば溶接により接続されている。図１８−図１９に示すように、サポート管３０は、内層３３と、中間層３２と、外層３１とから構成される三層構造であり、内層３３および中間層３２は網状または螺旋状構造であってもよい。外層３１は、ナイロン層または他の好ましい高分子材料であることができ、中間層３２は波管層であり、その表面構造はレーザー機械により切断される網状又は螺旋であってもよい；内層３３の構造は同様に、網状または螺旋状構造であってもよく、中間層と内層は金属材料により作製され、金属材料はステンレス系／ニッケル合金などであることが好ましい。
【００３９】
このカテーテルシステムはまた、カテーテルヘッド１０に溶接可能なＴＩＰ先端４０を含む。ＴＩＰ先端４０とカテーテルヘッド１０は、高分子材料により射出成形させることができる。使用されるポリマー材料は好ましくは耐久性に優れる。適切なポリマー材料には、ＡＢＳ（ＡＢＳ樹脂）、ＰＬＡ（ポリ乳酸）、ＰＶＡ（ポリビニルアルコール）、ＰＴＦＥ（ポリテトラフルオロエチレン）、及びナイロン（ナイロン）のうちの一つまたはいくつか含まれ得る。
【００４０】
本実施形態は、血管偽腔が高速で正確でかつ低リスクで真腔に再入できるカテーテルシステムを提供し、具体的には、湾曲状のカテーテルヘッド１０を有し、カテーテルヘッド１０の後端底部には開口１１が設けられ、開口１１はカテーテルヘッド１０の方向に沿って下を向いて傾斜した一つの第１の斜め肩１２と対向する；カテーテルヘッド１０の後端の内腔に位置する回転可能な内管２０を有し、回転可能な内管２０の遠位端には円弧形の開口２１が設けられており、回転可能な内管２０はカテーテルヘッド１０の内腔で３６０°で回転することができ、よって、異なるガイドワイヤを固定腔道に入ることを許す。回転可能な内管２０を円弧形の開口２１が下向きになる位置まで回転させると、回転可能な内管２０の内腔に位置するガイドワイヤは、回転可能な内管２０のガイド経路に沿って第１の斜め肩１２と衝突した後、下向きにして開口１１から血管偽腔を出て血管真腔に入ることができる。
【００４１】
図１−図１７に示すように、湾曲状のカテーテルヘッド１０は２つ部分を含み、その一部分は約３−６°だけわずかに上に持ち上げられ、好ましくは、約３．４−５．３°だけわずかに上に持ち上げられ、より好ましくは、約４．２°だけわずかに上に持ち上げられ、もう一つの部分は平行に配置されている。図１０に示すように、湾曲状のカテーテルヘッド１０の、内径Ｒ１は約０．４８ｍｍであり、外径Ｒ２が０．５４ｍｍ以下、好ましくは約０．５１ｍｍであることができる。いくつかの実施形態において、他の値も使用されることができるが、湾曲状のカテーテルヘッド１０の頂部と第１の斜め肩１２の底部との間の最大の垂直高度ｄ３は、約０．８２ｍｍであることができ、かついくつかの実施形態において、湾曲状のカテーテルヘッド１０の頂部と底部との間の最大の垂直高度ｄ４は、１ｍｍ以下である。いくつかの実施形態において、上向きに持ち上げられたカテーテルヘッド１０により、その内腔も上向きに持ち上げられ、上向きに持ち上げられた上腔道が、直径が約０．０１８ｉｎの第１のガイドワイヤを受け取りすることができ、円弧形の開口部２１は、４５°の遠位端に面する第１斜肩１２をガイドワイヤ衝突面とし、直径約０．０１４ｉｎのガイドワイヤを衝突させることができ、ガイドワイヤの向きを変えることができる。水平面に対して大きな角度で７５°〜９０°で血管真腔に戻す。
【００４２】
引き続き図４を参照して、第１の斜め肩１２は、垂直方向に対して約３０−６０°の角度を有することができ、好ましくは３５−５８°、４０−５５°、４２−５５°、より好ましくは約４５°の角度を有することができる。ガイドワイヤ５０は、カテーテルヘッド１０の第１の斜め肩１２と衝突した後、水平面に対して約７０°−９０°の角度で開口１１から出ることができ、好ましくは約７２°−８８°、７５°−８５°、７８°−８５°、さらに好ましくは約８０°−８２で、血管真腔への再入を完了する。
【００４３】
図１−１７に示す実施形態は、血管偽腔が高速で正確で低リスクで真腔に再入するカテーテルシステムを提供する。上記のカテーテルはまた、カテーテルヘッド１０の両側に配置された流線形の翼部１３を含む。翼部１３は対称的にカテーテルヘッド１０の両側に平行に配置され、かつ翼部１３は遠位端から近位端にかけて徐々に広がってから徐々に狭くなり、翼部１３の翼厚は０．０７５ｍｍ−０．１ｍｍを有し得る。翼部は中軸から両辺に展開され、厚さはその先端に向かって減少することができる。翼部１３は、１本の弧線を両側に約６０°−８０°だけ屈曲させることにより形成することができ、好ましくは約７５°である。
【００４４】
図９に示す実施例では、この翼部１３は、前端からの幅ｄ１が０．９ｍｍ以下であってもよく、好ましくは約０．８８ｍｍであり、翼部１３は最大幅ｄ２が２．４ｍｍ以下であってもよく、好ましくは約２．３４ｍｍである。また、図１０に示すように、翼部１３とカテーテルヘッド１０との間の最大垂直高さｄ５は、１．２５ｍｍ以下であり、好ましくは約１．２２ｍｍである。
【００４５】
本発明における血管偽腔のカテーテルシステムは、直径約０．０１４ｉｎから約０．０１８ｉｎまでの範囲内のガイドワイヤを採用するために、正確かつ低リスクで真腔に再入するカテーテルシステムを具体的に調整することができる。
【００４６】
ガイドワイヤは、回転可能な内管２０のガイド経路に沿って第１の斜め肩１２と衝突した後、水平面に対して約７０°−９０°の角度で開口１１から突き出ることができる。図１１−図１３に示すように、回転可能な内管２０の方向において、円弧形の開口２１の傾斜角度は４°−５°であってもよく、好ましくは４．８°である。回転可能な内管２０の遠位端は、ニッケルチタン合金の材質であってもよく、回転可能な内管のガイド経路の強度は保証され、経路の曲げ外しの可能性は減少されうる；近位端は金属材質（３０４ステンレスなど）であってよい；回転可能な内管の遠位端と近位端は溶接の方式で連結することができて、例えばレーザー溶接の方式を採用することができる。
【００４７】
使用されている回転可能な内管２０は、偏心円腔道２３を有することができ、この偏心円腔道２３を有する当該の回転可能な内管２０を回転させることにより、異なるサイズのガイドワイヤが、回転可能な内管２０の縦軸Ｌ方向に沿って特定のカテーテルヘッド１０の腔道に入ることができ、従って、それは経路を誘導することと偽腔を通過して真腔に再入することとの２つ機能を実現することができる。回転可能な内管２０が偏心円腔道２３を下向きに回転させると、ガイドワイヤ４０は、回転可能な内管２０の偏心円空道２３により形成されたガイド経路に沿って第１の斜め肩１２と衝突した後、下を向かって開口１１から血管偽腔を通過して血管真腔に入ることができる。図１４−１５は、直径が０．０１８ｉｎの第１のガイドワイヤの概略図を示す。或いは、回転可能な内管２０を偏心円腔道２３が上向きになる位置まで回転させると、直径０．０１４ｉｎのより小さい第２のガイドワイヤは、回転可能な内管２０のガイド経路Ｌに沿ってカテーテルヘッド１０の先端内腔に進入することができ、図１６−１７は直径が０．０１４ｉｎのガイドワイヤを示す概略図である。
【００４８】
カテーテルヘッド１０の近位端に接続可能なサポート管３０は、カテーテルヘッド１０の近位端に溶接により接続されている。引き続き図１８−図１９を参照して、サポート管３０は、内層３３と、中間層３２と、外層３１とから構成される三層構造であり、内層３３および中間層３２は網状または螺旋状構造であってもよい。外層はナイロン層または他の好ましい高分子材料であることができ、いくつかの実施形態において、中間層は波管層であり、その表面構造はレーザー機械により切断される網状又は螺旋であってもよい；いくつかの実施形態において、内層構造は網状または螺旋状構造であり、中間層と内層は金属材料により作成され、金属材料は例えばステンレス系／ニッケル合金である。
【００４９】
先端ＴＩＰ４０は、カテーテルヘッド１０に溶接可能である。ＴＩＰ先端４０とカテーテルヘッド１０は、高分子材料により射出成形させることができ、その中に、先端４０は、ガイドし、通過性を増加し、血管への損傷を減少する作用がある。マイクロカテーテルヘッドのポリマー材料は、耐久性があるように設計されている。ポリマー材料には、ＡＢＳ（ＡＢＳ樹脂）、ＰＬＡ（ポリ乳酸）、ＰＶＡ（ポリビニルアルコール）、ＰＴＦＥ（ポリテトラフルオロエチレン）、及びナイロン（ナイロン）のうちの一つまたはいくつか含まれ得る。
【００５０】
本実施形態は、上記のカテーテルシステムを採用して、血管偽腔が高速で正確でかつ低リスクで真腔に再入できる方法を提供し、具体的には、以下のステップを含む：
ステップ１、図２０に示すように、カテーテルシステムを血管６０の血管偽腔６１内に介入して、まず、回転可能な内管２０を円弧形の開口２１が上向きになる位置まで回転させて、直径が約０．０１８ｉｎの第１のガイドワイヤ５０を回転可能な内管２０に挿入してカテーテルヘッド１０まで圧入し、図２１に示すように、カテーテルヘッド１０を第１のガイドワイヤ５０による敷かれた偽腔経路を介して血管の偽腔の完全閉塞区域に入らせる；
ステップ２、マイクロカテーテルを押して、カテーテルヘッド１０を直線に沿って完全閉塞区域６３を通過させて、カテーテルヘッド１０上の第１の斜め肩１２を、完全閉塞区域を過ぎたばかりの位置に置いて、第１のガイドワイヤ５０を外す；
ステップ３、図２２に示すように、引き続き回転可能な内管を、円弧形の開口が下向きになる位置まで回転させて、直径が約０．０１４ｉｎの第２のガイドワイヤ５０を回転可能な内管に挿入してカテーテルヘッドまで押し込んで、よって、第２のガイドワイヤ５０は、カテーテルヘッドの第１の斜め肩１２と衝突した後、水平面に対して７０°−９０°の角度で開口１１から出て血管真腔６２に入り、これは操作が簡単で効率的で、真腔に戻すときのガイドワイヤの位置決めは正確であり、分岐血管の急性閉塞及び内出血の問題は効果的に回避される。
【００５１】
以上、本発明の特定の実施形態を詳細に説明したが、例示に過ぎず、本発明は、上記の特定の実施形態に限定されるものではない。当業者にとって、本発明に対する任意の均等の修正及び置換も本発明の範囲内である。したがって、本発明の精神及び範囲から逸脱することなく行われた均等置換及び修正は全部本発明内に含まれるべきである。
【図１】
2021534836.tif 000003
【図２】
2021534836.tif 000004
【図３】
2021534836.tif 000005
【図４】
2021534836.tif 000006
【図５】
2021534836.tif 000007
【図６】
2021534836.tif 000008
【図７】
2021534836.tif 000009
【図８】
2021534836.tif 000010
【図９】
2021534836.tif 000011
【図１０】
2021534836.tif 000012
【図１１】
2021534836.tif 000013
【図１２】
2021534836.tif 000014
【図１３】
2021534836.tif 000015
【図１４】
2021534836.tif 000016
【図１５】
2021534836.tif 000017
【図１６】
2021534836.tif 000018
【図１７】
2021534836.tif 000019
【図１８】
2021534836.tif 000020
【図１９】
2021534836.tif 000021
【図２０】
2021534836.tif 000022
【図２１】
2021534836.tif 000023
【図２２】
2021534836.tif 000024
【国際調査報告】
2021534836.tif 000025
2021534836.tif 000026
2021534836.tif 000027
2021534836.tif 000028
2021534836.tif 000029
2021534836.tif 000030